(57)【要約】  【課題】カラオケルームのルームサービスにて飲食物を提供する際、利用者が歌唱していないタイミングでサービス担当者が飲食物を搬入できるようにして、歌唱中の雰囲気に水を差したり、歌唱に支障を及ぼしたり、あるいは、歌唱が外部に漏れて他の利用者に迷惑を及ぼすことのないシステムの提供。  【解決手段】カラオケルームの内部に設置しているカラオケ演奏装置が、現時点において、任意のカラオケ楽曲の演奏中か否かの種別、さらに好ましくは、演奏しているか否かの種別に加え、演奏中であれば、非歌唱区間なのか、あるいは歌唱区間なのかの種別を詳細に区分けし、それぞれを種別信号として発信させる手段と、これをカラオケルームの外部にて受信する手段と、当該受信した種別に応じて、カラオケルームの利用現況を判別可能に表示する手段を備えたシステムを構築した。【選択図】図１
2005283809.tif 000002
【特許請求の範囲】
【請求項１】
任意のカラオケルームにおいて、その利用現況を外部表示して判別させるためのシステムであって、
（ア）任意のカラオケルームの内部に設置している所定のカラオケ演奏装置の動作状態に基づき、現時点において、任意のカラオケ楽曲の演奏中か否かの種別を区分けし、それぞれを種別信号として発信するための利用種別発信手段と、
（イ）前記カラオケルームの外部に設置され、前記利用種別発信手段からの当該カラオケルームの前記利用現況の種別信号を受信するための利用種別受信手段と、
（ウ）前記利用種別受信手段に付帯され、前記受信した種別に応じ、当該カラオケルームの利用現況を判別可能に表示するための表示手段と、
を備えてなるカラオケルーム利用現況判別システム。
【請求項２】
（エ）前記利用種別発信手段が、任意のカラオケルームの内部に設置している所定のカラオケ演奏装置の動作状態に基づき、現時点において、任意のカラオケ楽曲を演奏している状況であっても、さらに、非歌唱区間の演奏中なのか、あるいは歌唱区間の演奏中なのかの種別を区分けし、それぞれを種別信号として発信することを特徴とする請求項１記載のカラオケルーム利用現況判別システム。
【発明の詳細な説明】
【技術分野】
【０００１】
本発明は、任意のカラオケルームにおいて、その利用現況をカラオケルームの外部に表示して判別させるためのシステムに関する。
【背景技術】
【０００２】
近年、多数のカラオケルームを設置した、通称「カラオケボックス」と呼ばれる店舗が多く見られるようになり、かつては夜の酒場でのアトラクション的な要素を含んでいたカラオケも、今では老若男女を問わず楽しめるようになった。そして、最近のカラオケルームでは、カラオケ演奏の提供だけでなく、飲食物のルームサービスも行われている。
【０００３】
従来では、このような飲食物のルームサービスに関する技術も多々想到されており、例えば、特許文献１では、カラオケルームからの飲食物のルームサービスオーダーを確実に管理し、また、精算時の正確性が確保でき、さらに、時刻や季節に応じてメニューの変更ができて、システム全体の拡張や変更を容易にする技術が開示されている。あるいは、特許文献２では、カラオケ利用者がディスプレイに表示される飲食物の画像を見ながら操作を行い、所望の飲食物を選択して発注し、その発注された飲食物の注文データを印刷した注文券を発行する技術が開示されている。
【特許文献１】特開平１０−２９３７９５号公報
【特許文献２】特開平１１−６６１５５号公報
【０００４】
しかしながら、従来のルームサービスに関する技術については、利用者側のルームサービスの飲食物指定方法や店舗側の受注管理方法あるいは課金システムなどについては様々な取り組みがなされてきたが、受注した飲食物をそれぞれのカラオケルームに提供する際の不都合については思量されていなかった。すわなち、カラオケルームで利用者が歌唱している最中に飲食物が運ばれてくると、歌唱中の雰囲気に水を差したり、さらには、多くの飲食物が一度に運ばれてくると、狭いカラオケルーム内が慌ただしくなり、歌唱に支障を及ぼす問題も生じさせたり、あるいは、飲食物をカラオケルームに搬入する際、ドアが開け放たれるため、利用者の歌唱が外部に漏れて他の利用者に迷惑をかけることもある。にもかかわらず、このような状況は今でも続いている。
【発明の開示】
【発明が解決しようとする課題】
【０００５】
そこで、本発明は、上記問題や不都合を解消するために想到されたもので、すなわち、カラオケルームのルームサービスにて飲食物を提供する際、利用者が歌唱していないタイミングでサービス担当者が飲食物を搬入できるようにして、歌唱中の雰囲気に水を差したり、歌唱に支障を及ぼしたり、あるいは、歌唱が外部に漏れて他の利用者に迷惑を及ぼすことのないシステムの提供を目的とする。
【課題を解決するための手段】
【０００６】
上記課題を鑑み、本発明者らは、カラオケルームの内部に設置しているカラオケ演奏装置が、現時点において、任意のカラオケ楽曲の演奏中か否かの種別、さらに好ましくは、演奏しているか否かの種別に加え、演奏中であれば、非歌唱区間なのか、あるいは歌唱区間なのかの種別を詳細に区分けし、それぞれを種別信号として発信させる手段と、これをカラオケルームの外部にて受信する手段と、当該受信した種別に応じて、カラオケルームの利用現況を判別可能に表示する手段を備えたシステムを構築することで上記課題を解決できることを見出し、本発明のカラオケルーム利用現況判別システムを想到した。
【０００７】
すなわち、本発明の請求項１記載のカラオケルーム利用現況判別システムは、
任意のカラオケルームにおいて、その利用現況を外部表示して判別させるためのシステムであって、
（ア）任意のカラオケルームの内部に設置している所定のカラオケ演奏装置の動作状態に基づき、現時点において、任意のカラオケ楽曲の演奏中か否かの種別を区分けし、それぞれを種別信号として発信するための利用種別発信手段と、
（イ）前記カラオケルームの外部に設置され、前記利用種別発信手段からの当該カラオケルームの前記利用現況の種別信号を受信するための利用種別受信手段と、
（ウ）前記利用種別受信手段に付帯され、前記受信した種別に応じ、当該カラオケルームの利用現況を判別可能に表示するための表示手段と、
を備えてなることを特徴とする。
【０００８】
また、本発明の請求項２記載のカラオケルーム利用現況判別システムは、請求項１記載のシステムにおいて、
（エ）前記利用種別発信手段が、任意のカラオケルームの内部に設置している所定のカラオケ演奏装置の動作状態に基づき、現時点において、任意のカラオケ楽曲を演奏している状況であっても、さらに、非歌唱区間の演奏中なのか、あるいは歌唱区間の演奏中なのかの種別を区分けし、それぞれを種別信号として発信することを特徴とする。
【発明の効果】
【０００９】
本発明の請求項１記載のカラオケルーム利用現況判別システムによれば、任意のカラオケルームの内部に設置している所定のカラオケ演奏装置の動作状態に基づき、自動的にカラオケルームの外部に設置した表示手段にて当該カラオケルームの利用現況を判別可能に表示できるため、カラオケルームのルームサービスにて飲食物を提供する際、利用者が歌唱していないタイミングでサービス担当者が飲食物を搬入でき、以て、歌唱中の雰囲気に水を差したり、歌唱に支障を及ぼしたり、あるいは、歌唱が外部に漏れて他の利用者に迷惑をかけることがないといった効果を奏する。
【００１０】
また、本発明の請求項２記載のカラオケルーム利用現況判別システムによれば、任意のカラオケルームの内部に設置している所定のカラオケ演奏装置が、任意のカラオケ楽曲を演奏している状況であっても、さらに、非歌唱区間の演奏中なのか、あるいは歌唱区間の演奏中なのかの種別を詳細に区分けするため、演奏中であっても利用者が歌唱していないタイミングでサービス担当者が飲食物を搬入できるといった効果を奏する。
【発明を実施するための最良の形態】
【００１１】
以下、本発明のカラオケルーム利用現況判別システムについて、最適な実施例を挙げ、本発明の請求項１記載の（ア）から（ウ）の構成について詳述する。
【実施例１】
【００１２】
先ず、図１は本発明のカラオケルーム利用現況判別システムのブロック構成図であり、本実施例のシステム（Ｓ１）は主にカラオケ演奏装置（Ｐ）からなる。このシステム（Ｓ１）において、中央制御手段（１）はシステム全体の統括制御をするもので、ＣＰＵ、ＲＯＭ、ＲＡＭを含んで構成されている。そして、この中央制御手段（１）に接続された周辺機能手段としては、例えば、大容量の外部記憶手段としてのハードディスク装置（ＨＤＤ：４）、ＣＤ−ＲＯＭやＤＶＤ−ＲＯＭといった光ディスク再生手段（５）、ＡＤＳＬ電話回線やＩＳＤＮ電話回線を介してカラオケホスト装置と通信を行うための通信制御手段（３）、利用者からの入力と利用者に向けての応答のやり取りを行うための利用者インタフェイス（１１）、ＭＩＤＩ形式の音楽演奏データに基づいてカラオケ伴奏音楽の音響信号を生成するための音楽生成手段（２）、カラオケ伴奏音楽やマイクロホン（８）からの音響信号を増幅してスピーカ（１０）から放音するための音響制御手段（９）、ＣＲＴやＬＣＤあるいはＰＤＰなどを用いたディスプレイ（７）に表示すべきデータを処理するための表示制御手段（６）などがある。
【００１３】
利用者インタフェイス（１１）には、演奏装置本体の操作パネル（１４）やカラオケリモコン装置（１２）が含まれ、さらに、双方向通信が可能な短距離無線通信手段（１３）などを備えている。中央制御手段（１）は、利用者インタフェイス（１１）から、その操作制御部（１５）を介して予約演奏コマンドを受信すると、その信号に含まれている楽曲ＩＤコードを受け取った順にこれらを待ち行列に登録する。そして、待ち行列から登録順に楽曲ＩＤコードを取り出し、該当する音楽演奏データを順次演奏処理に供する。
【００１４】
ハードディスク装置（４）にはカラオケデータベースが構築されており、楽曲別の楽曲ＩＤコード（４ａ）に対応する１曲分のカラオケデータとは、ＭＩＤＩデータやＡＤＰＣＭデータなどで表現されたカラオケ伴奏音楽の起源となる音楽演奏データ（４ｂ）、カラオケ伴奏音楽に同期した歌詞字幕を表示するための歌詞字幕データ（４ｃ）、カラオケ伴奏音楽の出力期間に歌詞字幕の背景として表示すべき背景映像データ（４ｄ）などのデータ群である。
【００１５】
そして、本実施例のシステム（Ｓ１）には、カラオケ演奏装置（Ｐ）の動作状態に基づき、現時点において、任意のカラオケ楽曲の演奏中か否かの種別を区分けし、それぞれを種別信号として発信するための利用種別発信手段（１６）、カラオケルームの外部に設置され、利用種別発信手段（１６）からの当該カラオケルームの利用現況の種別信号を受信するための利用種別受信手段（１７）、当該利用種別受信手段（１７）に付帯され、受信した種別に応じ、当該カラオケルームの利用現況を判別可能に表示するための表示手段（１８）が設けられている。
【００１６】
ここで、図２に示す、演奏中か否かの種別および演奏中の歌唱区間・非歌唱区間の種別の概念図に基づき、本発明の請求項１記載の（ア）における利用種別発信手段と、同（イ）における利用種別受信手段、および同（エ）における歌唱区間・非歌唱区間について詳述する。
【００１７】
本発明において、カラオケ演奏装置の動作状態に基づき、現時点において、任意のカラオケ楽曲の演奏中か否かの種別を区分けするが、その基準としては、演奏動作に入っているか否かを判断できるものであれば特に限定するものではない。本実施例では、例えば、Ａ曲の演奏終了時（ないし終了直前）、Ｂ曲の音楽演奏データに含まれる初期設定パラメータ（セットアップデータ）を音源に送ってこれを初期設定する時点からＢ曲の演奏開始までの動作状態を非演奏中として区分けしている。なお、勿論、待ち行列に演奏予約が入っていない状態も非演奏中として区分けする。
【００１８】
また、本発明では、所定のカラオケ演奏装置が、任意のカラオケ楽曲を演奏している状況であっても、さらに、非歌唱区間の演奏中なのか、あるいは歌唱区間の演奏中なのかの種別を詳細に区分けしてもよい。すなわち、通常、カラオケ楽曲には、歌唱区間情報（歌唱区間データと非歌唱区間データ）に基づき、歌唱区間と非歌唱区間が設定されており、本実施例では、歌唱区間と非歌唱区間を設定するためにカラオケ装置における歌詞字幕の表示の有無と歌詞文字の色変わり時間を検出する方式を採用している。すなわち、歌詞字幕が表示している状態にある場合を歌唱区間とし、非表示状態にある場合を非歌唱区間とする。あるいは、歌詞字幕は歌詞文字列を行表示した後、歌唱を開始するタイミングでその歌詞文字列を左から右方向へ色変えていく表現によって表示されるため、この歌詞字幕が所定時間変化しない区間を非歌唱区間としてもよい。
【００１９】
ただし、本発明における歌唱区間と非歌唱区間の設定はこれらに限定されず、例えば、歌詞シーケンサが付帯する各カラオケ楽曲における歌詞文字列の表示順番と、その表示・消去タイミング、表示した文字列の色変わり開始・終了タイミングなどを記述した歌詞描出データを利用してもよい。さらに、演奏データに付帯する区間データを利用する方式も考えられる。この区間データとは、前奏部・１番の歌唱演奏部・間奏部・２番の歌唱演奏部・間奏部…後奏部というように、各演奏区間を示すデータをその楽曲の演奏時系列に対応付けしたデータであり、ＭＩＤＩデータ中に任意に設定でき、これを取得すれば歌唱区間と非歌唱区間を検出することができる。
【００２０】
なお、カラオケ演奏装置の機種によっては曲間時間（非演奏時間）を設定できるようになっており、ルームサービスがだいたい１０秒〜２０秒程度で行い得ることを鑑みて、支障のない範囲内で、予め曲間時間を設定しても構わない。
【００２１】
このように、本発明のシステムでは、任意のカラオケ楽曲の演奏中か否か、さらに好ましくは、演奏しているか否かに加え、演奏中であれば、非歌唱区間なのか歌唱区間なのかをさらに区分けし、これらの動作状態を種別として管理し、中央制御手段は、随時、現時点においてどの種別に属するかを判断し、利用種別発信手段に対し、それぞれの種別信号をカラオケルームの外部に設けられた利用受信手段に発信するように制御する。
【００２２】
次に、図３に示す、本発明における利用種別受信手段に付帯された表示手段の表示例に基づき、本発明の請求項１記載の（ウ）における表示手段について詳述する。
【００２３】
図３に示すように、カラオケルーム壁面（Ｗ）のルームドア（Ｄ）の近傍にはサービス担当者向けの表示手段（１８）が設置されている。本実施例の表示手段（１８）は、例えば、その拡大図（Ａ）〜（Ｃ）に示すように構成されている。先ず、（Ａ）は、演奏中か否かが一見して分かるように「演奏中」と描かれたランプが備えられ、ランプの点灯中はカラオケ楽曲が演奏中であることを示している。また、（Ｂ）は、歌唱中であるか否か、すなわち、非演奏中か、演奏中であっても、非歌唱区間か歌唱区間かの動作状況が一見して分かるように「歌唱中」と描かれたランプ備えられ、ランプの点灯中は演奏中かつ歌唱区間の演奏であることを示している。
【００２４】
そして、（Ｃ）では、３つランプが色分けされて併設されている。具体的には、非演奏中を示す青ランプ（１８ｃ）、演奏中であるが非歌唱区間を示す黄ランプ（１８ｄ）、演奏中であり歌唱区間を示す赤ランプ（１８ｅ）が備えられている。さらに、この（Ｃ）では、図２に示したように、各曲の演奏時間を加味して、演奏中であり歌唱区間の種別が解除される時間をカウントダウンするための秒刻みのカウンタ（１９）も付帯されている。サービス担当者はこの表示手段（１８）を見れば利用現況が判別でき、利用者が歌唱していないタイミングで飲食物を搬入できる。
【００２５】
以上、詳述したように、本発明のカラオケルーム利用現況判別システムによれば、任意のカラオケルームの内部に設置している所定のカラオケ演奏装置の動作状態に基づき、自動的にカラオケルームの外部に設置した表示手段にて当該カラオケルームの利用現況を判別可能に表示できるため、カラオケルームのルームサービスにて飲食物を提供する際、利用者が歌唱していないタイミングでサービス担当者が飲食物を搬入でき、以て、歌唱中の雰囲気に水を差したり、歌唱に支障を及ぼしたり、あるいは、歌唱が外部に漏れて他の利用者に迷惑をかけることがない。
【図面の簡単な説明】
【００２６】
【図１】本発明のカラオケルーム利用現況判別システムのブロック構成図。
【図２】演奏中か否かの種別および演奏中の歌唱区間・非歌唱区間の種別の概念図。
【図３】本発明における利用種別受信手段に付帯された表示手段の表示例。
【符号の説明】
【００２７】
Ｓ１  本発明の一実施例であるカラオケルーム利用現況判別システム
１    中央制御手段
２    音楽生成手段
３    通信制御手段
４    ハードディスク装置
１１  利用者インタフェイス
１６  利用種別発信手段
１７  利用種別受信手段
１８  表示手段
【図１】
2005283809.tif 000003
【図２】
2005283809.tif 000004
【図３】
2005283809.tif 000005